(57)【要約】【課題】  容器機能と緩衝機能を併せ持ち、非利用時に嵩張らず、梱包、開梱が容易で、梱包時、開梱時の装飾性に優れる包装材を提供する。【解決手段】  相対する二方面が開放された折畳み自在な筒体と、筒体内部にハニカム形状面が筒体の開放面となるごとく配設したハニカム構造体を有し、該筒体が筒状時には筒体内部のハニカム構造紙がハニカム構造となり、筒体折畳み時にはハニカム構造体も折畳まれるように構成し、筒体の開放部に上蓋および下蓋を設けてなる包装材。【選択図】図１
2007314240.tif 000002
【特許請求の範囲】
【請求項１】
相対する二方面が開放された折畳み自在な筒体内部に、ハニカム構造体をハニカム形状面が筒体の開放面となるごとく配設し、該筒体が筒状時には筒体内部のハニカム構造体がハニカム構造となり、筒体折畳み時にはハニカム構造体も折畳まれるように構成してなる包装材。
【請求項２】
筒体内壁とハニカム構造体の接触面が略全周面で固着してなる請求項１記載の包装材。
【請求項３】
筒体が多角形状または円筒形状である請求項１〜２いずれかに記載の包装材。
【請求項４】
筒体に固着されたハニカム構造体の筒体開放側の少なくとも一方が所定間隔の切欠部を有してなる請求項１〜３いずれかに記載の包装材。
【請求項５】
筒体の開放面に底蓋及び／または上蓋を供えた箱体である請求項１〜４いずれかに記載の包装材。
【発明の詳細な説明】
【技術分野】
【０００１】  本発明は、包装材に係り、さらに詳細には容器機能と緩衝機能を併せ持つ折畳み可能な包装材に関するものである。
【背景技術】
【０００２】  従来、ワイングラス等のガラス食器、ガラスや陶器をベースとした装飾品、さらには精密機器を搬送する場合は、これら物品の搬送時の破損を避ける目的より、（１）該物品の形状と該物品を収納する外装ケースに合わせた発泡樹脂成型体よりなる緩衝材を用いるか、或いは、（２）該物品を包装紙や発泡シート等の緩衝材で包み、箱体等の外装ケースに収納後、さらに物品と外装ケースの隙間に発泡ウレタン、発泡ポリスチレン等の緩衝材を充填し、搬送している。【０００３】  しかしながら、（１）の方法は、物品形状と容器形状に合わせた発泡樹脂成型体よりなる緩衝材を用いるため、開梱した場合の商品イメージは良いが、緩衝材の製造コストが高く、加えて物品を包装するまでに容器と緩衝材の保管に広い場所を必要とする等の欠点を有する。他方、（２）の方法は容器に予め緩衝材を部分充填し、物品を入れた後、更に容器と物品の隙間に緩衝材を充填する等、作業が煩雑であると伴に、開梱した場合の商品イメージはあまり芳しくなく、かつ開梱後の緩衝材の処理が煩雑との問題点を有する。
【発明の開示】
【発明が解決しようとする課題】
【０００４】  かかる事情下に鑑み、本発明者等は、容器機能と緩衝機能を併せ持ち、梱包、開梱が簡単で、開梱した場合の商品イメージにも優れ、非使用時にはコンパクトな収納が可能な包装材を提供すべく鋭意検討した結果、本発明を完成するに至った。
【発明が解決するための手段】
【０００５】  本発明の第１は相対する二方面が開放された折畳み自在な筒体内部に、ハニカム構造体をハニカム形状面が筒体の開放面となるごとく配設し、該筒体が筒状時には筒体内部のハニカム構造体がハニカム構造となり、筒体折畳み時にはハニカム構造体も折畳まれるように構成してなる包装材を提供するにある。
【０００６】  本発明の第２は筒体内壁とハニカム構造体の接触面が略全周面で固着してなる請求項１記載の包装材を提供するにある。
【０００７】  本発明の第３は筒体が多角形状または円筒形状である請求項１〜２いずれかに記載の包装材を提供するにある。
【０００８】  本発明の第４は筒体に固着されたハニカム構造体の筒体開放側の少なくとも一方が所定間隔の切欠部を有してなる請求項１〜３いずれかに記載の包装材を提供するにある。
【０００９】  本発明の第５は筒体の開放面に底蓋及び／または上蓋を供えた箱体である請求項１〜４いずれかに記載の包装材を提供するにある。
【発明の効果】
【００１０】  本発明の包装材は、相対する二方面が開放された折畳み自在な筒体内部にハニカム構造体をハニカム形状面が筒体の開放面となるごとく配設し、該筒体が筒状時には筒体内部のハニカム構造体がハニカム構造となり、筒体折畳み時にはハニカム構造体も折畳まれるように構成してなる。それゆえ、非使用時においては折畳み収納可能なことより保管スペースが少なく、かつ緩衝材と筒体が一体構成されていることより、発泡スチロールや発泡ポリスチレンのチップ等を緩衝材として適用する方法に比し取り扱いが簡単である。
また、本発明の包装材は、筒体内部のハニカム構造体上に包装対象物品を載置するのみで、ハニカム構造体が包装対象物品の固定と緩衝材の働きをするので、極めて梱包作業、開梱作業が容易との利点をも有する。
加えてハニカム構造体として、筒体開放側の少なくとも一方に所定間隔の切欠部を有したハニカム構造体を用いてなる包装材は、包装対象物品の固定と緩衝材効果が増大する等の利点を有する。
【発明を実施するための最良の形態】
【００１１】  本発明の一実施態様を図１〜図８に示す。図１、図２、図５Ａ及び図８は本発明に係る包装材の概要図、図３Ａ、Ｂ及び図４は本発明に係る包装材の展開図、図６Ａ、Ｂは本発明に用いるハニカム構造体、図５Ｂ、図７は本発明に適用する筒体の展開図である。図中１は筒体、２はハニカム構造体、３は筒体１内にハニカム構造体２を配設してなる包装材である。筒体１は図１に示す如く、相対する二方面が開放された筒体であり、図２に示す如く折畳み自在である。筒体１内に配設されたハニカム構造体２も図１に示す如く筒体１が筒状時にはハニカム構造となり、図２に示す如く折畳み時にはハニカム構造体２も折畳まれるように配設されている。かかる構造の包装材３は、図３Ａに示す如く折骨んだハニカム構造体２を、展開した筒体１の開放側の長さ（Ｘ）の約半分の長さ（約１／２Ｘ）に切断し、このハニカム構造体の端面４を展開した筒体１を構成する端面５（以下、筒体端面５と略記する）に合わせ、図３Ｂに示す如く、相接する筒体内壁とハニカム構造体の側面を糊等の接着剤６で固着する。次いで図４に示す如く、筒体１を構成する端面７（以下、筒体端面７と略記する）が筒体端面５及びハニカム構造体の端面４に接する如く折畳み、折畳んだ筒体１の内壁と相接するハニカム構造体の側面を糊等の接着剤６で固着することにより包装材３を作製することができる。筒体端面５と筒体端面７は筒体１の強度を高める目的で図５Ａに示す如く接着剤付きテープ８で係着してもよいし、図５Ｂに示す如く筒体端面５あるいは筒体端面７に予め接着目的で糊代９を設け、この糊代部分用いて相対する筒体端面７あるいは筒体端面５と接着してもよい。勿論、最初から筒体端面５，７が固着されている筒体を用い、折畳んだハニカム構造体のハニカム構造を有する面の長さを、１／２に折畳んだ筒体の開放面側の長さ（図３に示す１／２Ｘと同意味）と略同じとなる如く切断してなるハニカム構造体を、筒体内に挿入し、相接する筒体内壁とハニカム構造体側面を接着剤で固着して作製してもよい。
筒体に固着するハニカム構造体は、ハニカム構造体を広げた場合のハニカム構造を呈する側の面積が、筒体の開放面側の開放時の面積と同じか、より広いものを用いる。面積比は限定されるものではないが、緩衝効果と経済性より決定すればよく、通常１．０〜２．０、好ましくは１．０５〜１．５倍程度である。
また、折畳んだハニカム構造体のハニカム構造を有する面の長さを折畳んだ筒体の開放面側の１／２の長さよりも僅かに短くしておく場合には、筒体端面５と７の接着作業や、予め作製された筒体内壁にハニカム構造体を接着する場合においても接着作業が容易となる。上記において僅かとは作製する包装材の大きさにより一義的ではないが、通常は約１ｍｍ〜約２０ｍｍ、好ましくは約２ｍｍ〜約１０ｍｍである。【００１２】  本発明の包装材は、筒体内壁とハニカム構造体の接触面が略全周面で固着されていることが好ましい。筒体内壁とハニカム構造体の接触面が略全周面で固着されている場合には、ハニカム構造体上に多少の重量物を載置しても緩衝効果を保持したまま載置可能である。【００１３】  図において、筒体は四角形状のものを示したが、本発明においては「相対する二方面が開放された折畳み自在な筒体内部にハニカム構造体をハニカム形状面が筒体の開放面となるごとく配設し、該筒体が筒状時には筒体内部のハニカム構造体がハニカム構造となり、筒体折畳み時にはハニカム構造体も折畳まれるように構成し得るならば、筒体の形状は四角、六角、八角等の多角形状、または円筒形状のいずれであってもよい。
筒体の形状が異なる場合であっても、前記と同様、筒体内周の約１／２の長さのハニカム構造体を準備し、相接する筒体内壁とハニカム構造体の側面を接着剤で固着して作製することができる。【００１４】  ハニカム構造体２は筒体に固着された場合、ハニカム構造体の筒体開放側の少なくとも一方が所定間隔の切欠部を有していてもよい。切欠部の形状は図６Ａに示す如く楔型であってもよいし、櫛の歯型、或いは単に開放端から他の開放端に向かって切込を形成したものでもよく、包装容器が筒状時に該ハニカム構造体２上に載置した物品が安定良く保持できればよい。それゆえ切欠部深さは全面均一でもよいが、図６Ａに示す如く筒体の中央が深く、筒体壁面部では浅く形成したものが推奨される。また、破損し易い物品は、切欠部深さを包装時の物品の体高以上にすることにより、より緩衝効果に優れた包装材を提供することができる。
切欠部の間隔は筒体の大きさや包装材用途により一義的ではないが、通常１ｍｍ〜５０ｍｍ、好ましくは３ｍｍ〜３０ｍｍである。【００１５】  筒体１内に固着するハニカム構造体２の筒体内壁と接する側の長さ（Ｚ）は、用途により、筒体の壁面高さ（Ｙ）より高くても、低くてもよい。通常、箱として取り扱う場合には、筒体の開放面側より梱包物質をハニカム構造体２上に載置した場合、蓋が閉まるような長さに調整される。この場合でもハニカム構造体の筒体開放側の少なくとも一方が所定間隔の切欠部を有するものを使用する場合には、図６Ｂに示す如く切欠部が筒体の壁面高さよりも上部に出るように構成されていても、蓋１０を閉めることができる程度であればよい。この場合には、上記切欠部がハニカム構造体２上に載置した梱包物質を覆い、他の緩衝材を用いずとも緩衝効果を高めることができる。【００１６】    本発明の「相対する二方面が開放された折畳み自在な筒体内部にハニカム構造体をハニカム形状面が筒体の開放面となるごとく配設し、該筒体が筒状時には筒体内部のハニカム構造体がハニカム構造となり、筒体折畳み時にはハニカム構造体も折畳まれるように構成してなる包装材」は、筒体の開放面に底蓋及び／または上蓋を供えていてもよい。
底蓋を敷設してなる場合は、包装材の強度が高くなるので、取り扱いが容易となり、底蓋と上蓋を有する場合には包装材の強度が高くなり、搬送が便利となるので、好ましい。
これら底蓋及び／または上蓋の筒体１への配設は特に限定されるものではなく、筒体１を製作後、底蓋及び／または上蓋を取り付けてもよいし、図７に示す如く筒体に底蓋１１及び／または上蓋１２が付いた筒体構成材料を用い包装材を製作すればよい。【００１７】  また、包装材を構成する筒体が四角形状であれば、図８に示すような筒状物１３を作製し、これと本発明の包装材を組み合わせ、箱体として用いることも可能である。【００１８】  本発明において用いる筒体は紙、プラスチック、木材、金属板等が、またハニカム構造体は紙やプラスチックフィルム等が使用可能であるが、使用済み後、廃棄処理が容易である点より紙材料の使用が推奨される。【００１９】  以上詳述した本発明の包装材は、容器機能と緩衝機能を併せ持ち、開梱した場合の商品イメージにも優れ、非使用時にはコンパクトな収納が可能であり、筒体やハニカム構造体にカラー用紙を用いる場合には装飾性にも優れることより、贈答用包装材、簡易展示用包装材としても使用可能であり、更には、筒体底部に底蓋を付け、この筒体の内壁に細かい切欠部を有するハニカム構造体を固着し薄い箱状の包装材となす場合には、これに仕切紙を入れることにより菓子箱や小物容器としての使途も考慮される等、その産業上の価値は頗る大である。
【図面の簡単な説明】
【００２０】
【図１】本発明に係る包装材の概略図を示す。
【図２】本発明に係る包装材の概略図を示す。
【図３Ａ】本発明に係る包装材の展開図を示す。
【図３Ｂ】本発明に係る包装材の展開図を示す。
【図４】本発明に係る包装材の展開図を示す。
【図５Ａ】は本発明に係る包装材の概略図を示す。
【図５Ｂ】は本発明に係る筒体の展開図を示す。
【図６Ａ】は本発明に用いる切欠部を有するハニカム構造体を示す。
【図６Ｂ】は本発明に係る包装材の概略図を示す。
【図７】は本発明に係る筒体の展開図を示す。
【図８】は本発明に係る包装材の概略図を示す。
【符号の説明】
【００２１】１：筒体、２：ハニカム構造体、３：包装材、４：ハニカム構造体の端面、５：筒体１を構成する端面、６：接着剤、７：筒体１を構成する端面、８：接着剤付きテープ、９：糊代、１０：蓋、１１：底蓋、１２：上蓋、１３：筒状物
【図１】
2007314240.tif 000003
【図２】
2007314240.tif 000004
【図３Ａ】
2007314240.tif 000005
【図３Ｂ】
2007314240.tif 000006
【図４】
2007314240.tif 000007
【図５Ａ】
2007314240.tif 000008
【図５Ｂ】
2007314240.tif 000009
【図６Ａ】
2007314240.tif 000010
【図６Ｂ】
2007314240.tif 000011
【図７】
2007314240.tif 000012
【図８】
2007314240.tif 000013